(57)【特許請求の範囲】
【請求項１】
生化学検査装置であって、
供給／回収口が形成された先端を有するノズルと、
前記ノズルが装着されるノズル装着部を備え、前記供給／回収口を経由して液体を供給／回収するポンプと、
前記先端に加わる押圧荷重を和らげる緩衝機構を備え、前記ポンプを保持する保持機構と、
生化学反応が進行する反応場を提供する反応場提供物と、
流路及びノズル挿入孔が形成され、前記反応場提供物が定着する定着面を有し、前記流路の内部に前記反応場提供物が配置され、前記ノズル挿入孔が前記流路に接続される接続端を有し、前記流路から液体を吸入できる位置に前記先端が到達するまで前記ノズルが前記ノズル挿入孔に挿入された場合に前記先端が当接する当接面を有し、前記先端が前記当接面に当接する場合に前記当接面が前記供給／回収口を完全には閉塞しない構造体と、
前記保持機構を搬送し、前記位置に前記先端が到達するまで前記ノズルを前記ノズル挿入孔に挿入する搬送機構と、
を備え、
前記構造体は、
第１の主面及び第２の主面を有し、前記第１の主面及び前記第２の主面の間を貫通する前記流路が形成される流路形成物と、
前記第１の主面に接合され、前記定着面を有する定着面形成物と、
前記第２の主面に接合され、前記ノズル挿入孔が形成されるノズル挿入孔形成物と、
を備え、
前記定着面形成物は、
前記流路を挟んで前記接続端と対向する対向面を有し、前記対向面が突出面及び非突出面を有し、前記突出面が前記当接面であり、前記非突出面の平面形状が前記先端の平面形状を内包しない
生化学検査装置。
【請求項２】
請求項１の生化学検査装置において、
前記非突出面から前記突出面までの突出長が前記流路形成物の厚さより短い
生化学検査装置。
【請求項３】
請求項１又は請求項２の生化学検査装置において、
前記ノズルが樹脂からなる
生化学検査装置。
【請求項４】
請求項１の生化学検査装置において、
前記定着面形成物は、
入射面、反射面及び出射面を有し、励起光が前記入射面へ入射し前記反射面に反射され前記出射面から出射するように前記入射面、前記反射面及び前記出射面が配置される誘電体媒体と、
第３の主面及び第４の主面を有し、前記第３の主面が前記反射面に密着し、前記第４の主面が前記定着面を有する導電体膜と
を備える
生化学検査装置。
【請求項５】
請求項１から請求項４までのいずれかの生化学検査装置において、
前記緩衝機構は、
前記保持機構に対して前記ノズル装着部が相対移動する場合に前記ノズルの延在方向と同じ方向に前記ノズル装着部を案内する案内機構と、
前記保持機構に対して前記ノズル装着部が定常位置より前記先端の側へ相対移動することを規制する規制機構と、
前記先端の側へ付勢された状態で前記ノズル装着部を前記定常位置に位置づける弾性体と、
を備える
生化学検査装置。
【発明の詳細な説明】
【技術分野】
【０００１】
本発明は、生化学検査装置に関する。
【背景技術】
【０００２】
生化学検査において抗原抗体反応等の生化学反応が利用される。例えば、抗体を含む抗体含有膜が流路の内面に定着させられ、抗原を含む試料液が流路へ供給され、試料液に含まれる抗原と抗体含有膜に含まれる抗体とが結合させられる。抗体への抗原の結合の有無、抗体への抗原の結合量等は、表面プラズモン励起蛍光分光法（ＳＰＦＳ）、表面プラズモン共鳴法（ＳＰＲ）等により計測される。試料液が流路に供給される前又は試料液が流路に供給された後に、洗浄液、蛍光標識液等の試料液以外の液体が流路へ供給される場合もある。液体は、多くの場合において、ノズルの先端に形成された供給／回収口を経由して供給／回収される。
【０００３】
特許文献１の生化学検査装置（バイオセンサー）においては、抗体（アナライト）を含む抗原捕捉膜（リンカー層）が流路（流体流路）の内面（金属膜の表面）に定着させられ（段落００２６）、抗原（タンパク質）を含む試料液（アナライト溶液）が流路へ供給され（段落００６１）、試料液に含まれる抗原と抗体含有膜に含まれる抗体とが結合させられる（段落００６１）。試料液が流路に供給される前又は試料液が流路に供給された後に、試料液以外の液体（前処理用の液体及び後処理用の液体）が流路へ供給される（段落００６２）。液体は、ノズル（ピペットチップ）の先端に形成された供給／回収口を経由して供給／回収される。ノズルは、ノズル挿入孔に挿入される。ノズルの外周面及び流路の内周面は密着し、流路は密閉される（段落００４４及び図７）。
【先行技術文献】
【特許文献】
【０００４】
【特許文献１】特開２００７−２６３７０５号公報
【発明の概要】
【発明が解決しようとする課題】
【０００５】
生化学反応の大部分は可逆反応であるため、流路から液体が回収された後に流路に残存する液体の量は、生化学反応の進行の程度に影響する。特に、２種以上の液体が流路に順次に供給／回収され、２段階以上で生化学反応が進行させられる場合は、流路から液体が回収された後に流路に残存する液体の量は、生化学反応の進行の程度に大きく影響する。
【０００６】
一方、ノズルの長さは、ノズルの個体ごとに異なる。ノズルの長さがノズルの個体ごとに異なる場合は、ノズルの先端がノズルの個体ごとに検出されない限り、流路から液体が回収されるときにノズルの先端が配置される位置はノズルの個体ごとに異なる。この場合は、流路から液体が回収された後に流路に残存する液体の量がノズルの個体ごとに異なる。
【０００７】
このため、ノズルの長さがノズルの個体ごとに異なる場合は、生化学反応の進行の程度がノズルの個体ごとに異なり、生化学検査の精度が低下する。
【０００８】
本発明は、この問題を解決するためになされる。本発明の主な目的は、ノズルの先端がノズルの個体ごとに検出されない場合でも生化学検査の精度が維持される生化学検査装置を提供することである。
【課題を解決するための手段】
【０００９】
本発明は、生化学検査装置に向けられる。
【００１０】
本発明の第１の局面においては、ノズル、ポンプ、保持機構、搬送機構、反応場提供物及び構造体が生化学検査装置に設けられる。
【００１１】
ノズルの先端には、供給／回収口が形成される。
【００１２】
ポンプは、ノズルが装着されるノズル装着部を備える。ポンプは、供給／回収口を経由して液体を供給／回収する。
【００１３】
保持機構は、ポンプを保持する。保持機構は、ノズルの先端に加わる押圧荷重を和らげる緩衝機構を備える。
【００１４】
搬送機構は、保持機構を搬送し、流路から液体を吸入できる位置に先端が到達するまでノズルを前記ノズル挿入孔に挿入する。
【００１５】
反応場提供物は、生化学反応が進行する反応場を提供する。
【００１６】
構造体には、流路及びノズル挿入孔が形成される。構造体の定着面には、反応場提供物が定着する。流路の内部には、反応場提供物が配置される。流路及びノズル挿入孔の接続端は接続される。構造体は、当接面を有する。流路から液体を吸入できる位置にノズルの先端が到達するまでノズルがノズル挿入孔に挿入された場合には、ノズルの先端が当接面に当接する。ノズルの先端が当接面に当接する場合は、当接面は供給／回収口を完全には閉塞しない。
【００１７】
本発明の第１の局面においては、流路形成物、定着面形成物及びノズル挿入孔形成物が構造体に設けられる。流路形成物には、第１の主面及び第２の主面の間を貫通する流路が形成される。第１の主面には、定着面を有する定着面形成物が接合される。第２の主面には、ノズル挿入孔が形成されるノズル挿入孔形成物が接合される。
【００２１】
本発明の第１の局面においては、ノズル挿入孔の接続端及び定着面形成物の対向面が流路を挟んで対向する。定着面形成物の対向面の一部を占める突出面は、当接面になる。定着面形成物の対向面の一部を占める非突出面の平面形状は、ノズルの先端の平面形状を内包しない。
【００２２】
本発明の第２の局面は、本発明の第１の局面にさらなる事項を付加する。本発明の第２の局面においては、定着面形成物の対向面の一部を占める非突出面から突出面までの突出長が流路形成物の厚さより短い。
【００２３】
本発明の第３の局面は、本発明の第１又は第２の局面にさらなる事項を付加する。本発明の第３の局面においては、ノズルが樹脂からなる。
【００２４】
本発明の第４の局面は、本発明の第１の局面にさらなる事項を付加する。本発明の第４の局面においては、誘電体媒体及び導電体膜が定着面形成物に設けられる。励起光が誘電体媒体の入射面へ入射し誘電体媒体の反射面に反射され誘電体媒体の出射面から出射するように誘電体媒体の入射面、反射面及び出射面が配置される。
【００２５】
導電体膜の一方の主面は、反射面に密着する。導電体膜の他方の主面は定着面を有する。
【００２７】
本発明の第５の局面は、本発明の第１から第４までのいずれかの局面にさらなる事項を付加する。本発明の第５の局面においては、案内機構、規制機構及び弾性体が緩衝機構に設けられる。
【００２８】
案内機構は、保持機構に対してノズル装着部が相対移動する場合にノズルの延在方向と同じ方向にノズル装着部を案内する。
【００２９】
規制機構は、保持機構に対してノズル装着部が定常位置より先端の側へ相対移動することを規制する。
【００３０】
弾性体は、先端の側へ付勢された状態でノズル装着部を定常位置に位置づける。
【発明の効果】
【００３１】
本発明の第１の局面によれば、ノズルの長さがノズルの個体ごとに異なる場合でも一定の位置にノズルの先端が配置される。ノズルの先端がノズルの個体ごとに検出されない場合でも、液体が流路から安定して回収され、生化学検査の精度が維持される。
【００３２】
本発明の第１の局面によれば、ノズルの先端が流路に接近する。液体が流路から回収された後に流路に残存する液体の量が減少する。生化学検査の精度が向上する。
【００３３】
本発明の第２の局面によれば、ノズルの先端が流路の内部に配置される。液体が流路から回収された後に流路に残存する液体の量がさらに減少する。生化学検査の精度がさらに向上する。
【００３４】
本発明の第３の局面によれば、ノズルが安価に製造される。
【００３５】
本発明の第４の局面によれば、表面プラズモン励起蛍光分光法又は表面プラズモン共鳴法による生化学検査が可能になる。生化学検査の精度が向上する。
【００３６】
本発明の第５の局面によれば、過大な押圧荷重がノズルの先端に加わった場合にノズルの後端の側にノズル装着部が退避する。過大な押圧荷重がノズルの先端に加わらない。ノズルが損傷しにくい。
【００３７】
これらの及びこれら以外の本発明の目的、特徴、局面及び利点は、添付図面とともに考慮されたときに下記の本発明の詳細な説明によってより明白となる。
【図面の簡単な説明】
【００３８】
【図１】第１実施形態の生化学検査装置の模式図である。
【図２】第１実施形態の検査チップの斜視図である。
【図３】第１実施形態の検査チップの縦断面図である。
【図４】第１実施形態の検査チップの横断面図である。
【図５】試薬チップの側面図である。
【図６】第１実施形態のノズル、ポンプ及び保持機構の断面図である。
【図７】生化学反応の進行を示す模式図である。
【図８】生化学反応の進行を示す模式図である。
【図９】第１実施形態のノズル挿入孔及び流路の接続箇所の斜視図である。
【図１０】第１実施形態のノズル挿入孔及び流路の接続箇所の横断面図である。
【図１１】第１実施形態のノズルの先端等の平面図である。
【図１２】生化学検査の手順を示すフローチャートである。
【図１３】ポンプの搬送の手順を示す模式図である。
【図１４】第１実施形態におけるノズルの装着を示す断面図である。
【図１５】第１実施形態におけるノズルの装着を示す断面図である。
【図１６】第１実施形態におけるノズルの装着を示す断面図である。
【図１７】第１実施形態におけるノズルの挿入を示す断面図である。
【図１８】第１実施形態におけるノズルの挿入を示す断面図である。
【図１９】第１実施形態におけるノズルの挿入を示す断面図である。
【図２０】第２実施形態の検査チップの横断面図である。
【図２１】第２実施形態のノズル挿入孔及び流路の接続箇所の斜視図である。
【図２２】第２実施形態のノズル挿入孔及び流路の接続箇所の横断面図である。
【図２３】第２実施形態のノズルの先端、ノズル挿入孔の接続領域等の平面図である。
【図２４】第３実施形態の検査チップの横断面図である。
【図２５】第３実施形態のノズル挿入孔及び流路の接続箇所の斜視図である。
【図２６】第３実施形態のノズル挿入孔及び流路の接続箇所の横断面図である。
【図２７】第３実施形態のノズルの先端、複合体の非突出面等の平面図である。
【図２８】第４実施形態のノズル、ポンプ及び保持機構の断面図である。
【発明を実施するための形態】
【００３９】
｛第１実施形態｝
（生化学検査装置の概略）
第１実施形態は、生化学検査装置に関する。第１実施形態の生化学検査装置は、表面プラズモン励起蛍光分光法（ＳＰＦＳ）により生化学検査を行う。
【００４０】
図１の模式図は、第１実施形態の生化学検査装置を示す。
【００４１】
図１に示すように、生化学検査装置１０００は、検査チップ１０１０、試薬チップ１０１２及び本体１０１４を備える。
【００４２】
本体１０１４は、送液機構１０２０、照射機構１０２２、測定機構１０２４及びコントローラー１０２６を備える。送液機構１０２０は、ノズル１０３０、ポンプ１０３２、保持機構１０３４及び搬送機構１０３６を備える。照射機構１０２２は、レーザーダイオード１０４０、直線偏光板１０４２、ミラー１０４４及びミラー駆動機構１０４６を備える。測定機構１０２４は、光電子増倍管１０５０、ローパスフィルター１０５２、ローパスフィルター駆動機構１０５４及びフォトダイオード１０５６を備える。
【００４３】
図２から図４までの模式図は、第１実施形態の検査チップを示す。図２は斜視図であり、図３は縦断面図であり、図４は横断面図である。図２及び図３は、ノズルがノズル挿入孔に挿入されていない状態を示す。図４は、ノズルがノズル挿入孔に挿入され流路が液体で満たされた状態を示す。
【００４４】
図２から図４までに示すように、検査チップ１０１０は、抗原捕捉膜１０６０及び構造体１０６２を備える。構造体１０６２は、複合体１０７０、流路形成シート１０７２、ノズル挿入孔形成蓋１０７４、第１の密閉シール１０７６及び第２の密閉シール１０７８を備える。複合体１０７０は、プリズム１０８０及び金膜１０８２を備える。ノズル挿入孔形成蓋１０７４は、侵入阻止壁１０９０を備える。
【００４５】
図５の模式図は、試薬チップを示す。図５は、側面図である。
【００４６】
図５に示すように、試薬チップ１０１２は、洗浄液容器１１００、検体容器１１０２、希釈液容器１１０４、試料液容器１１０６、蛍光標識液容器１１０８及びホルダー１１１０を備える。洗浄液容器１１００には洗浄液１１２０が収容され、検体容器１１０２には検体１１２２が収容され、希釈液容器１１０４には希釈液１１２４が収容され、試料液容器１１０６には試料液１１２６が収容され、蛍光標識液容器１１０８には蛍光標識液１１２８が収容される。試薬チップ１０１２は、本体１０１４に取り付けられた当初には、ノズル１０３０も備える。ノズル１０３０は、試薬チップ１０１２が本体１０１４に取り付けられた後にポンプ１０３２に装着される。
【００４７】
図６の模式図は、第１実施形態のノズル、ポンプ及び保持機構を示す。図６は、断面図である。
【００４８】
図６に示すように、ノズル１０３０は、ノズル本体１１３０及びつば１１３２を備える。ポンプ１０３２は、シリンダー１１４０、Ｏリング１１４２、ピストン１１４４及びモーター１１４６を備える。シリンダー１１４０は、シリンダー室形成部１１５０及びノズル装着部１１５２を備える。保持機構１０３４は、基体１１６０、案内機構１１６２及びコイルバネ１１６４を備える。案内機構１１６２は、案内軸１１７０、回転防止軸１１７２及び可動板１１７４を備える。
【００４９】
これら以外の構成物が生化学検査装置１０００に付加されてもよい。これらの構成物の一部が生化学検査装置１０００から省略される場合もある。
【００５０】
（生化学検査の概略）
ＳＰＦＳによる生化学検査が行われる場合は、生化学反応が進行させられ、計測が行われる。
【００５１】
図７及び図８の模式図は、生化学反応の進行を示す。
【００５２】
生化学反応が進行させられる場合は、送液機構１０２０が洗浄液１１２０、試料液１１２６及び蛍光標識液１１２８を流路形成シート１０７２に形成された流路１３００に順次に満たす。試料液１１２６が流路１３００に満たされた場合は、図７に示すように、試料液１１２６に含まれる抗原１３１０と抗原捕捉膜１０６０に固定された抗体１３１２とが結合し、試料液１１２６に含まれる抗原１３１０が抗原捕捉膜１０６０に捕捉される。蛍光標識液１１２８が流路１３００に満たされた場合は、図８に示すように、抗原捕捉膜１０６０に捕捉された抗原１３１０と蛍光標識液１１２８に含まれる蛍光標識抗体１３１４とが結合し、抗原捕捉膜１０６０に捕捉された抗原１３１０に蛍光標識が付加される。
【００５３】
送液機構１０２０が洗浄液１１２０、試料液１１２６、蛍光標識液１１２８等の液体を流路１３００に満たす場合は、図４に示すように、搬送機構１０３６がノズル挿入孔形成蓋１０７４に形成されたノズル挿入孔１３２０にノズル１０３０を挿入し、ノズル１０３０の先端１３３０に形成された供給／回収口１３４０を経由してポンプ１０３２が液体を流路１３００へ供給し液体を流路１３００から回収する。
【００５４】
計測が行われる場合は、図１に示すように、照射機構１０２２が励起光１３５０をプリズム１０８０に照射する。照射された励起光１３５０は、プリズム１０８０の入射面１３６０に入射しプリズム１０８０の反射面１３６２に反射されプリズム１０８０の出射面１３６４から出射する。励起光１３５０がプリズム１０８０の反射面１３６２に反射された場合は、プリズム１０８０の反射面１３６２から金膜１０８２の側にエバネッセント波がもれだす。もれだしたエバネッセント波の電場は、金膜１０８２の表面のプラズモンに共鳴し、増強される。増強された電場は、抗原捕捉膜１０６０に捕捉された抗原１３１０に付加された蛍光標識を励起する。励起された蛍光標識からは、表面プラズモン励起蛍光１３５２が放射される。測定機構１０２４は、表面プラズモン励起蛍光１３５２の光量を測定する。表面プラズモン励起蛍光１３５２の光量から、抗原１３１０の有無、抗原１３１０の捕捉量等が特定される。
【００５５】
（液体の十分な回収のための構造）
図９及び図１０の模式図は、第１実施形態のノズル挿入孔及び流路の接続箇所を示す。図９は、斜視図（破断図）である。図１０は、横断面図である。図９は、ノズルがノズル挿入孔に挿入されていない状態を示す。図１０は、ノズルがノズル挿入孔に挿入された状態を示す。
【００５６】
図９及び図１０に示すように、侵入阻止壁１０９０は、ノズル挿入孔１３２０の内部に配置される。侵入阻止壁１０９０には、液体通路１４００が形成される。液体通路１４００は、侵入阻止壁１０９０の下側の壁面１４１０及び上側の壁面１４１２の間を貫通する。侵入阻止壁１０９０の上側の壁面１４１２は、ノズル１０３０の先端１３３０が当接する当接面になる。
【００５７】
流路１３００から液体が回収される場合は、図１０に示すように、ノズル１０３０の先端１３３０が侵入阻止壁１０９０の上側の壁面１４１２に当接する位置まで搬送機構１０３６がノズル１０３０をノズル挿入孔１３２０に挿入する。ノズル１０３０の先端１３３０が侵入阻止壁１０９０の上側の壁面１４１２に当接する場合でも、ノズル１０３０の先端１３３０に形成された供給／回収口１３４０は、侵入阻止壁１０９０の上側の壁面１４１２に完全には閉塞されず、液体通路１４００を経由して流路１３００に接続される。ノズル１０３０の先端１３３０が侵入阻止壁１０９０の上側の壁面１４１２に当接した状態において、ポンプ１０３２が供給／回収口１３４０を経由して流路１３００へ液体を供給し流路１３００から液体を回収する。これにより、ノズル１０３０の長さがノズル１０３０の個体ごとに異なる場合でも一定の位置にノズル１０３０の先端１３３０が配置される。ノズル１０３０の先端１３３０がノズル１０３０の個体ごとに検出されない場合でも、液体が流路１３００から安定して回収され、生化学検査の精度が向上する。
【００５８】
侵入阻止壁１０９０の位置は、ノズル１０３０の先端１３３０が侵入阻止壁１０９０の上側の壁面１４１２に当接する位置までノズル１０３０がノズル挿入孔１３２０に挿入された状態において流路１３００から液体を回収できるように決定される。侵入阻止壁１０９０の位置は、望ましくは侵入阻止壁１０９０の下側の壁面１４１０がノズル挿入孔１３２０の接続端１４３０に配置されるように決定される。これにより、ノズル１０３０の先端１３３０が流路１３００に接近し、流路１３００から液体が回収された後に流路１３００に残存する液体の量が減少し、生化学検査の精度が向上する。ただし、侵入阻止壁１０９０の下側の壁面１４１０がノズル挿入孔１３２０の接続端１４３０からわずかに離れる場合も、液体を流路１３００から安定して回収するという侵入阻止壁１０９０の意義は維持される。流路１３００の接続端１４３０に対向する複合体１０７０の対向面１４３１からノズル１０３０の先端１３３０（侵入阻止壁１０９０の上側の壁面１４１２）までの距離は、望ましくは０．３ｍｍ以下である。ただし、ノズル１０３０の先端１３３０は、複合体１０７０の対向面１４３１に接触しない。これにより、ノズル１０３０の供給／回収口１３４０が複合体１０７０の対向面１４３１に閉塞されない。
【００５９】
図１１の模式図は、第１実施形態のノズルの先端、液体通路等の平面形状の関係を示す。図１１は、平面図である。
【００６０】
図１１に示すように、液体通路１４００の径Ｒ１１はノズル１０３０の先端１３３０の径Ｒ１２より小さい（Ｒ１１＜Ｒ１２）。この場合は、ノズル１０３０の先端１３３０の侵入が侵入阻止壁１０９０により阻止される。ノズル１０３０の先端１３３０及び液体通路１４００の平面形状が円形でない場合を考慮した場合は、液体通路１４００の平面形状がノズル１０３０の先端１３３０の平面形状を内包しないときにノズル１０３０の先端１３３０の侵入が侵入阻止壁１０９０により阻止される。
【００６１】
分離された２個以上の液体通路が侵入阻止壁１０９０に形成されてもよく、多数の液体通路が形成された網形状を侵入阻止壁１０９０が持ってもよい。
【００６２】
ノズル１０３０の先端１３３０が侵入阻止壁１０９０の上側の壁面１４１２に当接する場合には、ノズル１０３０の先端１３３０に押圧荷重が加わる。ノズル１０３０の先端１３３０に加わる押圧荷重は、保持機構１０３４により和らげられる。これにより、ノズル１０３０の先端１３３０に過大な押圧荷重が加わらず、ノズル１０３０が損傷しにくくなる。
【００６３】
液体通路１４００は、望ましくは侵入阻止壁１０９０の中心に形成される。これにより、ノズル１０３０の先端１３３０がぶれた場合でも、供給／回収口１３４０が液体通路１４００を経由して流路１３００に接続されやすくなる。
【００６４】
（ノズル）
ノズル１０３０は、望ましくは樹脂からなる。これにより、ノズル１０３０が安価に製造される。ただし、ノズル１０３０が樹脂以外からなることも許される。例えば、ノズル１０３０が金属、合金、ガラス、セラミックス等からなることも許される。ノズル１０３０は、さらに望ましくはポリプロピレンからなる。これにより、ノズル１０３０へのタンパク質の吸着が減少し、生化学検査の精度が向上する。
【００６５】
ノズル１０３０は、望ましくは細長形状を持つ。ノズル１０３０の先端１３３０の平面形状は、望ましくは小さくされる。これにより、微量の液体が精度よく吐出及び吸入され、生化学検査の精度が向上する。
【００６６】
ノズル１０３０が樹脂からなり細長形状を持つ場合は、ノズル１０３０に曲がり等の変形が生じやすく、ノズル１０３０の長さが変化しやすい。このため、ノズル１０３０の長さがノズル１０３０の個体ごとに異なることが多い。ノズル１０３０が汎用品である場合は、ノズル１０３０の長さがノズル１０３０の個体が属する製造ロットごとに異なることも多い。ノズル１０３０の長さのばらつきは、ノズル１０３０の長さの公称値が８０ｍｍである場合には、約±０．５ｍｍである。しかし、生化学検査装置１０００においては、侵入阻止壁１０９０が設けられ、ノズル１０３０の長さがノズル１０３０の個体ごとに異なっても液体が流路１３００から安定して回収される。このため、ノズル１０３０が樹脂からなる場合も大きな問題は生じない。
【００６７】
ノズル１０３０の先端１３３０の平面形状が小さい場合は、ノズル１０３０の先端１３３０に大きな押圧荷重が加わったときにノズル１０３０の先端１３３０が損傷しやすい。しかし、生化学検査装置１０００においては、ノズル１０３０の先端１３３０に加わる押圧荷重が和らげられる。このため、ノズル１０３０の先端１３３０の平面形状が小さい場合も大きな問題にはならない。
【００６８】
ノズル１０３０が試薬チップ１０１２に取り付けられている間は、図５に示すように、ノズル１０３０はつば１１３２によりホルダー１１１０に支持される。
【００６９】
ノズル１０３０は、ピペットチップ等とも呼ばれる。
【００７０】
（ポンプ）
図６に示すように、ノズル装着部１１５２には、ノズル１０３０が装着される。ノズル装着部１１５２にノズル１０３０が装着される場合は、ノズル１０３０の後端１３３２に形成された装着口１３４２にノズル装着部１１５２が圧入され、ノズル装着部１１５２及びノズル１０３０の間にＯリング１１４２が挟まれ、ノズル装着部１１５２及びノズル１０３０の間隙がＯリング１１４２で閉塞される。これにより、ノズル本体１１３０に形成された液体収容空間１４６０を陽圧又は陰圧に調整できる。ノズル装着部１１５２及びノズル１０３０の両方又は片方が弾性を持つ場合は、Ｏリング１１４２が省略されても、ノズル装着部１１５２及びノズル１０３０が密着しノズル装着部１１５２及びノズル１０３０の間隙が十分に閉塞される。
【００７１】
シリンダー室形成部１１５０には、シリンダー室１４７０が形成される。シリンダー室１４７０には、ピストン１１４４が収容される。ピストン１１４４は、モーター１１４６に機械的に接続される。モーター１１４６は、シリンダー室１４７０の内部においてピストン１１４４を往復動させる。シリンダー室形成部１１５０及びノズル装着部１１５２の両方の役割を果たす構造物がポンプ１０３２に設けられてもよい。
【００７２】
ポンプ１０３２が液体を供給する場合は、モーター１１４６がシリンダー室１４７０の内部において供給／回収口１３４０へ近づく方向へピストン１１４４を移動させる。これにより、液体収容空間１４６０が陽圧になり、供給／回収口１３４０を経由して液体収容空間１４６０から液体が吐出される。
【００７３】
ポンプ１０３２が液体を回収する場合は、モーター１１４６がシリンダー室１４７０の内部において供給／回収口１３４０から遠ざかる方向へピストン１１４４を移動させる。これにより、液体収容空間１４６０が陰圧になり、供給／回収口１３４０を経由して液体収容空間１４６０へ液体が吸入される。
【００７４】
ピストン１１４４の往復動以外により液体収容空間１４６０が陽圧及び陰圧にされてもよい。
【００７５】
ポンプ１０３２は、保持機構１０３４に保持される。
【００７６】
（保持機構）
案内軸１１７０及び回転防止軸１１７２は、基体１１６０に固定される。案内軸１１７０及び回転防止軸１１７２は、ノズル１０３０の延在方向と同じ方向に直線的に延在する。可動板１１７４を貫通する案内孔１４８０の断面形状は、案内軸１１７０の断面形状に適合する。案内孔１４８０には、案内軸１１７０が挿入される。可動板１１７４に形成された回転防止溝１４８２には、回転防止軸１１７２が収容される。これにより、可動板１１７４は、案内軸１１７０に対して摺動するが、案内軸１１７０を中心として回転はしない。
【００７７】
回転防止軸１１７２及び回転防止溝１４８２以外により可動板１１７４の回転が抑制されてもよい。例えば、回転対称性を持たない断面形状を案内軸１１７０に持たせることにより、可動板１１７４の回転が抑制されてもよい。案内機構１１６２の構造が変更されてもよい。例えば、可動板１１７４が案内溝、案内孔等に対して摺動してもよい。可動板１１７４が「板」とは呼びがたい形状物に置き換えられてもよい。
【００７８】
可動板１１７４には、モーター１１４６が固定される。これにより、ノズル１０３０の延在方向と同じ方向にモーター１１４６が案内され、ノズル１０３０の延在方向と同じ方向にノズル装着部１１５２が案内される。この場合は、ポンプ１０３２は保持機構１０３４に対して相対移動し、ノズル装着部１１５２は保持機構１０３４に対して相対移動する。
【００７９】
基体１１６０には、規制溝１５００が形成される。規制溝１５００は、第１の規制面１５１０及び第２の規制面１５１２を有する。
【００８０】
第１の規制面１５１０及び第２の規制面１５１２は、ノズル１０３０の延在方向に離れる。可動板１１７４は、ノズル装着部１１５２が定常位置に配置される場合に第１の規制面１５１０に当接し、ノズル装着部１１５２が最大退避時位置に配置される場合に第２の規制面１５１２に当接する。第１の規制面１５１０及び第２の規制面１５１２は、ノズル装着部１１５２が定常位置よりもノズル１０３０の先端１３３０の側へ移動することを規制しノズル装着部１１５２が最大退避時位置からさらに退避することを規制する規制機構になる。規制機構の構造が変更されてもよい。例えば、案内軸１１７０又は回転防止軸１１７２に可動板１１７４が当接する突起が形成されてもよい。ノズル装着部１１５２の移動可能範囲は、ノズル１０３０の長さのばらつきより広く設定される。例えば、ノズル１０３０の長さのばらつきが約±０．５ｍｍである場合には、ノズル装着部１１５２の移動可能範囲は約１ｍｍ以上に設定される。
【００８１】
コイルバネ１１６４の一端１５４０は、基体１１６０に結合される。コイルバネ１１６４の他端１５４２は、可動板１１７４に結合される。コイルバネ１１６４の伸縮方向及びノズル１０３０の延在方向は一致する。コイルバネ１１６４は圧縮されており、コイルバネ１１６４が自然長に戻ろうとする復元力はノズル装着部１１５２が定常位置から離れるほど大きくなる。コイルバネ１１６４は、ノズル１０３０の先端１３３０の側へ向かって可動板１１７４を押圧し、ノズル１０３０の先端１３３０の側へ付勢された状態でノズル装着部１１５２を定常位置に位置づける。コイルバネ１１６４が、可動板１１７４以外を押圧してもよい。例えば、コイルバネ１１６４が、モーター１１４６を押圧してもよい。より一般的には、コイルバネ１１６４は、ノズル装着部１１５２に対する相対位置が固定された構成物を押圧する。
【００８２】
コイルバネ１１６４が他の種類の弾性体に置き換えられてもよい。例えば、コイルバネ１１６４が板バネ、空気バネ、ゴム等に置き換えられてもよい。
【００８３】
案内機構１１６２、コイルバネ１１６４及び規制機構によりノズル１０３０の先端１３３０に加わる押圧応力を和らげる緩衝機構１５５０が構成される。基準以上の押圧荷重がノズル１０３０の先端１３３０に加わった場合は、緩衝機構１５５０が動作し、ノズル装着部１１５２がノズル１０３０の後端１３３２の側に退避する。これにより、ノズル１０３０が損傷しにくくなる。
【００８４】
（緩衝機構の動作及び押圧荷重）
緩衝機構１５５０が動作せずノズル装着部１１５２が退避しない場合は、ノズル装着部１１５２は定常位置から離れず、ノズル装着部１１５２に加わる押圧荷重Ｆは第１の押圧荷重Ｆｍｉｎ以下である（Ｆ＜Ｆ１）。
【００８５】
緩衝機構１５５０が動作しノズル装着部１１５２が退避するがノズル装着部１１５２の退避量Ｂが最大退避可能量Ｂｍａｘに達しない場合は、ノズル装着部１１５２が定常位置から離れるが最大退避時位置には達せず、ノズル装着部１１５２に加わる押圧荷重Ｆは第１の押圧荷重Ｆ１より大きく第２の押圧荷重Ｆ２より小さい（Ｆ１＜Ｆ＜Ｆ２）。
【００８６】
緩衝機構１５５０が動作しノズル装着部１１５２の退避量Ｂが最大退避可能量Ｂｍａｘに達した場合は、ノズル装着部１１５２が定常位置から離れ最大退避時位置に達し、ノズル装着部１１５２に加わる押圧荷重Ｆは第２の押圧荷重Ｆ２以上になる（Ｆ２≦Ｆ）。
【００８７】
第１の押圧荷重Ｆ１は、コイルバネ１１６４のバネ定数ｋ及びノズル装着部１１５２が定常位置に位置する場合のコイルバネ１１６４の自然長からの圧縮長ΔＬ１により設定される。第２の押圧荷重Ｆ２は、コイルバネ１１６４のバネ定数ｋ及びノズル装着部１１５２が最大退避時位置に位置する場合のコイルバネ１１６４の自然長からの圧縮長ΔＬ２により設定される。
【００８８】
ノズル１０３０がノズル装着部１１５２に装着された後には、ノズル装着部１１５２に加わる押圧荷重及びノズル１０３０に加わる押圧荷重は同一視される。ノズル装着部１１５２又はノズル１０３０に加わる押圧荷重は、ノズル装着部１１５２又はノズル１０３０が接触物に加える押圧荷重でもある。
【００８９】
（押圧荷重の種類）
ノズル１０３０がノズル装着部１１５２に装着される場合にノズル装着部１１５２に加わる押圧荷重Ｆには、ノズル１０３０がＯリング１１４２に接触する場合に生じる押圧荷重（以下では「Ｏリング接触時荷重」という。）Ｆａ、ノズル装着部１１５２がノズル１０３０に圧入される場合に生じる押圧荷重（以下では「圧入時荷重」という。）Ｆｂ等がある。
【００９０】
ノズル１０３０がノズル挿入孔１３２０に挿入される場合にノズル装着部１１５２に加わる押圧荷重Ｆには、ノズル１０３０が第１の密閉シール１０７６を突き破る場合に生じる押圧荷重（以下では「密閉シール突き破り時荷重」という。）Ｆｃ、突き破られた第１の密閉シール１０７６にノズル１０３０が接触する場合に生じる荷重（以下では「密閉シール接触時荷重」という。）Ｆｄ、ノズル１０３０の先端１３３０が侵入阻止壁１０９０の上側の壁面１４１２に当接する場合に生じる荷重（以下では「当接時荷重」という。）Ｆｅ等がある。
【００９１】
（押圧荷重の大小）
Ｏリング接触時荷重Ｆａは、圧入時荷重Ｆｂより小さい（Ｆａ＜Ｆｂ）。
【００９２】
望ましくは、Ｏリング接触時荷重Ｆａが第１の押圧荷重Ｆ１より大きくなり第２の押圧荷重Ｆ２より小さくなるように、第１の押圧荷重Ｆ１及び第２の押圧荷重Ｆ２が設定される（Ｆ１＜Ｆａ＜Ｆ２）。この場合は、ノズル１０３０がＯリング１１４２に接触するときに、緩衝機構１５５０が動作するが、ノズル装着部１１５２の退避量Ｂは最大退避可能量Ｂｍａｘに達しない。Ｏリング接触時荷重Ｆａが第１の押圧荷重Ｆ１より小さくなってもよい（Ｆａ＜Ｆ１）。
【００９３】
望ましくは、圧入時荷重Ｆｂが第２の押圧荷重Ｆ２より大きくなるように第２の押圧荷重Ｆ２が設定される（Ｆ２＜Ｆｂ）。この場合は、ノズル装着部１１５２がノズル１０３０に圧入されるときに、緩衝機構１５５０が動作し、ノズル装着部１１５２の退避量Ｂが最大退避可能量Ｂｍａｘに達する。第２の押圧荷重Ｆ２以上の押圧荷重がノズル装着部１１５２に加わり、圧入に必要な押圧荷重が得られる。
【００９４】
密閉シール突き破り時荷重Ｆｃは、密閉シール接触時荷重Ｆｄより大きい（Ｆｄ＜Ｆｃ）。
【００９５】
望ましくは、密閉シール突き破り時荷重Ｆｃが第２の押圧荷重Ｆ２より大きくなるように第２の押圧荷重Ｆ２が設定される（Ｆ２＜Ｆｃ）。この場合は、ノズル装着部１１５２が密閉シール１０７６を突き破るときに、緩衝機構１５５０が動作し、ノズル装着部１１５２の退避量Ｂが最大退避可能量Ｂｍａｘに達する。第２の押圧荷重Ｆ２以上の押圧荷重がノズル装着部１１５２に加わり、突き破りに必要な押圧荷重が得られる。ただし、密閉シール突き破り時荷重Ｆｃが第２の押圧荷重Ｆ２より小さくてもよく（Ｆｃ＜Ｆ２）、密閉シール突き破り時荷重Ｆｃが第１の押圧荷重Ｆ１より小さくてもよい（Ｆｃ＜Ｆ１）。
【００９６】
望ましくは、密閉シール接触時荷重Ｆｄが第１の押圧荷重Ｆ１より小さくなるように第１の押圧荷重Ｆ１が設定される（Ｆｄ＜Ｆ１）。この場合は、ノズル装着部１１５２が突き破られた密閉シール１０７６に接触するときに、緩衝機構１５５０が動作せず、ノズル装着部１１５２が退避しない。
【００９７】
（検査チップ）
図３及び図４に示すように、検査チップ１０１０においては、流路形成シート１０７２の下側の主面１５６０に複合体１０７０が接合され、流路形成シート１０７２の上側の主面１５６２にノズル挿入孔形成蓋１０７４が接合される。流路形成シート１０７２及びノズル挿入孔形成蓋１０７４は、流路１３００及びノズル挿入孔１３２０が形成された一体物に置き換えられてもよいし、流路１３００及びノズル挿入孔１３２０が形成された３個以上の構成物からなる複合物に置き換えられてもよい。複合体１０７０においては、金膜１０８２の下側の主面１５７０及びプリズム１０８０の反射面１３６２が密着する。金膜１０８２の上側の主面１５７２の定着面１５８２には、抗原捕捉膜１０６０が定着する。
【００９８】
検査チップ１０１０は、センサーチップ、分析チップ、試料セル等とも呼ばれる。
【００９９】
（プリズム）
プリズム１０８０は、台形柱体である。プリズム１０８０は、望ましくは等脚台形柱体である。プリズム１０８０の一方の傾斜側面は入射面１３６０になる。プリズム１０８０の幅広の平行側面は反射面１３６２になる。プリズム１０８０の他方の傾斜側面は出射面１３６４になる。
【０１００】
励起光１３５０が入射面１３６０へ入射し反射面１３６２に反射され出射面１３６４から出射するように入射面１３６０、反射面１３６２及び出射面１３６４は配置される。
【０１０１】
プリズム１０８０の形状は、電場増強度が極大になる入射角θｒで励起光１３５０を反射面１３６２へ入射できるように決定される。電場増強度が極大になる入射角θｒで励起光１３５０が反射面１３６２へ入射する限り、プリズム１０８０が台形柱体以外でもよく、プリズム１０８０が「プリズム」とは呼びがたい形状物に置き換えられてもよい。例えば、プリズム１０８０が半円柱体であってもよく、プリズム１０８０が板に置き換えられてもよい。
【０１０２】
プリズム１０８０は、励起光１３５０に対して透明な樹脂からなる。ただし、プリズム１０８０が樹脂以外からなることも許される。例えば、プリズム１０８０がガラスからなることも許される。一般的には、プリズム１０８０は、誘電体媒体であればよい。
【０１０３】
プリズム１０８０が樹脂からなる場合は、プリズム１０８０は、望ましくは射出成型により成型される。ただし、プリズム１０８０が他の方法により成型されてもよい。
【０１０４】
（金膜）
金膜１０８２は、薄膜である。金膜１０８２の膜厚は、望ましくは１００ｎｍ以下である。ただし、金膜１０８２の膜厚が１００ｍｍより厚くてもよい。
【０１０５】
金膜１０８２は、スパッタリング、蒸着、メッキ等により形成される。ただし、金膜１０８２が他の方法により形成されてもよい。
【０１０６】
金膜１０８２が他の種類の導電体からなる導電体膜に置き換えられてもよい。例えば、金膜１０８２が銀、銅、アルミニウム等の金属又はこれらの金属を含む合金からなる導電体膜に置き換えられてもよい。
【０１０７】
（抗原捕捉膜）
抗原捕捉膜１０６０は、膜形状を持つ。これにより、増強されたエバネッセント場が蛍光標識を励起しやすくなり、生化学検査の精度が向上する。
【０１０８】
抗原捕捉膜１０６０は、流路１３００の内部に配置される。これにより、洗浄液１１２０、試料液１１２６、蛍光標識液１１２８等の液体が流路１３００に満たされた場合に、流路１３００に満たされた液体が抗原捕捉膜１０６０に接触する。
【０１０９】
抗原捕捉膜１０６０は、非流動体からなる。これにより、液体が抗原捕捉膜１０６０に接触しても、抗原捕捉膜１０６０が移動しない。
【０１１０】
抗原捕捉膜１０６０は、望ましくはラバー製のアプリケーターによりパターニングされる。ただし、抗原捕捉膜１０６０が他の方法によりパターニングされてもよい。抗原捕捉膜１０６０の平面形状は、円形、多角形等である。抗原捕捉膜１０６０の径は、望ましくは数ｍｍである。抗原捕捉膜１０６０の厚さは、望ましくは１００ｎｍ以下である。
【０１１１】
抗原捕捉膜１０６０が形成される場合は、金膜１０８２の上側の主面１５７２に自己組織化（ＳＡＭ）膜が形成され、自己組織化膜上に固相支持体層が形成され、固相支持体に抗体１３１２が固定される。
【０１１２】
抗原捕捉膜１０６０には、望ましくは保存用の試薬が塗布される。これにより、抗原捕捉膜１０６０に固定される抗体１３１２がタンパク質であっても抗原１３１０の捕捉能力が長期間維持される。保存用の試薬は、捕捉能力を阻害しない保湿剤であり、望ましくはショ糖水溶液を主成分とする液体である。検査チップ１０１０は、望ましくは抗原捕捉膜１０６０に保存用の試薬が塗布された後に乾燥された状態で保管される。ただし、保存用の試薬の塗布が省略されてもよい。
【０１１３】
（流路形成シート）
流路１３００は、流路形成シート１０７２の下側の主面１５６０と上側の主面１５６２とを貫通する。流路１３００は、一方の接続端１５９０から他方の端部１５９２へ至る。
【０１１４】
流路形成シート１０７２は、基材の下側の主面及び上側の主面に粘着層が形成された両面粘着シートである。基材は、ポリエチレンテレフタラート等からなる。粘着層は、アクリル系粘着剤等の粘着剤からなる。
【０１１５】
流路形成シート１０７２は、複合体１０７０とノズル挿入孔形成蓋１０７４とを接合する接合媒体を兼ねる。流路形成シート１０７２が接合媒体を兼ねない場合は、複合体１０７０及びノズル挿入孔形成蓋１０７４は、接着、レーザー溶着、超音波溶着、クランプ圧着等により接合される。
【０１１６】
シート形状を有する流路形成シート１０７２に流路１３００が形成された場合は、流路１３００の容積が小さくなり、生化学検査に必要な試料液が減少する。しかし、流路形成シート１０７２が「シート」とは呼びがたい形状物に置き換えられてもよい。
【０１１７】
（ノズル挿入孔形成蓋）
ノズル挿入孔１３２０の接続端１４３０は、流路１３００の一方の接続端１５９０に接続される。これにより、ノズル１０３０がノズル挿入孔１３２０に挿入された場合に液体を流路１３００へ供給でき液体を流路１３００から回収できる。
【０１１８】
ノズル挿入孔１３２０の開口１４３２は、ノズル挿入孔形成蓋１０７４の第１の密閉面１６１０に配置される。これにより、密閉シール１０７６を突き破ってノズル１０３０をノズル挿入孔１３２０に挿入できる。
【０１１９】
ノズル挿入孔１３２０は、望ましくは直線的に延在する。これにより、ノズル１０３０をノズル挿入孔１３２０に挿入することが容易になる。
【０１２０】
ノズル挿入孔形成蓋１０７４には、望ましくは液だまり１６２０が形成される。
【０１２１】
液だまり１６２０の接続端１６３０は流路１３００の他方の接続端１５９２に接続される。
【０１２２】
液だまり１６２０の開口１６３２はノズル挿入孔形成蓋１０７４の第２の密閉面１６１２に配置される。
【０１２３】
液だまり１６２０により、流路１３００の一方の接続端１５９０及び他方の接続端１５９２の間に液体を容易に往復させることができ、生化学反応を進行させやすくなる。
【０１２４】
ノズル挿入孔形成蓋１０７４は、表面プラズモン励起蛍光１３５２及び励起光１３５０の散乱光１３５４に対して透明な樹脂からなる。ただし、ノズル挿入孔形成蓋１０７４が樹脂以外からなることも許される。例えば、ノズル挿入孔形成蓋１０７４がガラスからなることも許される。
【０１２５】
ノズル挿入孔形成蓋１０７４が樹脂からなる場合は、ノズル挿入孔形成蓋１０７４は、望ましくは射出成型により成型される。ただし、ノズル挿入孔形成蓋１０７４が他の方法により成型されてもよい。
【０１２６】
ノズル挿入孔形成蓋１０７４が「蓋」とは呼びがたい形状物に置き換えられてもよい。
【０１２７】
（密閉シール）
第１の密閉シール１０７６及び第２の密閉シール１０７８は、それぞれ、第１の密閉面１６１０及び第２の密閉面１６１２に貼られ、ノズル挿入孔１３２０の開口１４３２及び液だまり１６２０の開口１６３２を閉塞する。これにより、ノズル挿入孔１３２０、液だまり１６２０及び流路１３００が密閉される。
【０１２８】
第１の密閉シール１０７６及び第２の密閉シール１０７８は、望ましくは樹脂からなる。ただし、第１の密閉シール１０７６及び第２の密閉シール１０７８が樹脂以外からなることも許される。例えば、密閉シール１０７６が樹脂からなるシート及びアルミニウムからなるシートの積層体であってもよい。
【０１２９】
（レーザーダイオード）
レーザーダイオード１０４０は励起光１３５０を放射する。
【０１３０】
レーザーダイオード１０４０が他の形式の光源に置き換えられてもよい。例えば、レーザーダイオード１０４０が発光ダイオード、水銀灯、レーザーダイオード以外のレーザー等に置き換えられてもよい。
【０１３１】
（直線偏光板）
直線偏光板１０４２は、励起光１３５０の光路上に配置され、レーザーダイオード１０４０から放射された励起光１３５０を直線偏光へ変換する。励起光１３５０の偏光方向は、励起光１３５０が反射面１３６２に対してｐ偏光になるように選択される。これにより、エバネッセント波のもれだしが増加し、表面プラズモン励起蛍光１３５２の光量が増加し、生化学検査の精度が向上する。
【０１３２】
（ミラー）
ミラー１０４４は、励起光１３５０の光路上に配置され、直線偏光板１０４２を通過した励起光１３５０を反射する。ミラー１０４４により反射された励起光１３５０は、プリズム１０８０に照射される。
【０１３３】
（ミラー駆動機構）
ミラー駆動機構１０４６は、モーター、圧電アクチュエーター等の駆動力源を備え、ミラー１０４４を回転させ、ミラー１０４４の姿勢を調整する。また、ミラー駆動機構１０４６は、リニアステッピングモーター等の駆動力源を備え、レーザーダイオード１０４０の光軸方向にミラー１０４４を移動させ、ミラー１０４４の位置を調整する。これにより、反射面１３６２への励起光１３５０の入射位置を定着面１５８２の裏側に維持したまま反射面１３６２への励起光１３５０の入射角θを調整できる。反射面１３６２への励起光１３５０の入射角θは、全反射条件を満たす。
【０１３４】
（光電子増倍管）
光電子増倍管１０５０は、表面プラズモン励起蛍光１３５２の光路上に配置され、表面プラズモン励起蛍光１３５２及び散乱光１３５４の光量を測定する。光電子増倍管１０５０が他の形式の光量センサーに置き換えられてもよい。例えば、光電子増倍管１０５０が電荷結合素子（ＣＣＤ）センサー等に置き換えられてもよい。
【０１３５】
（ローパスフィルター）
ローパスフィルター１０５２は、カットオフ波長より長い波長の光を透過し、カットオフ波長より短い波長の光を減衰させる。カットオフ波長は、励起光１３５０の波長から表面プラズモン励起蛍光１３５２の波長までの範囲内で選択される。
【０１３６】
ローパスフィルター１０５２が表面プラズモン励起蛍光１３５２の光路上に配置される場合は、散乱光１３５４はローパスフィルター１０５２により減衰し、散乱光１３５４のごく一部が光電子増倍管１０５０に到達するが、表面プラズモン励起蛍光１３５２はローパスフィルター１０５２を透過し、表面プラズモン励起蛍光１３５２の大部分が光電子増倍管１０５０に到達する。これにより、相対的に光量が小さい表面プラズモン励起蛍光１３５２の光量が測定される場合に相対的に光量が大きい散乱光１３５４の影響が抑制され、生化学検査の精度及び感度が向上する。ローパスフィルター１０５２がバンドパスフィルターに置き換えられてもよい。
【０１３７】
（ローパスフィルター駆動機構）
ローパスフィルター駆動機構１０５４は、ローパスフィルター１０５２が表面プラズモン励起蛍光１３５２の光路上に配置された状態とローパスフィルター１０５２が表面プラズモン励起蛍光１３５２の光路上に配置されない状態とを切り替える。
【０１３８】
（フォトダイオード）
フォトダイオード１０５６は、励起光１３５０の反射光１３５６の光路上に配置され反射光１３５６の光量を測定する。フォトダイオード１０５６が他の形式の光量センサーに置き換えられてもよい。例えば、フォトダイオード１０５６がフォトトランジスター、フォトレジスター等に置き換えられてもよい。電場増強度が極大になる入射角θｒが散乱光１３５４の光量から検出される場合は、フォトダイオード１０５６が省略されてもよい。
【０１３９】
（コントローラー）
コントローラー１０２６は、制御プログラムを実行する組み込みコンピューターである。１個の組み込みコンピューターがコントローラー１０２６の機能を担ってもよいし、２個以上の組み込みコンピューターが分担してコントローラー１０２６の機能を担ってもよい。ソフトウエアを伴わないハードウエアがコントローラー１０２６の全部又は一部の機能を担ってもよい。ハードウエアは、例えば、オペアンプ、コンパレーター等の電子回路である。コントローラー１０２６による処理の全部又は一部が、手作業により実行されてもよく、生化学検査装置１０００の外部において実行されてもよい。
【０１４０】
（生化学検査の手順）
図１２のフローチャートは、生化学検査の手順を示す。図１３の模式図は、ポンプの搬送の手順を示す。
【０１４１】
（検査チップ及び試薬チップの取り付け）
検査チップ１０１０及び試薬チップ１０１２が準備され本体１０１４に取り付けられる（ステップＳ１０１）。検査チップ１０１０及び試薬チップ１０１２は、生化学検査ごとに準備される。検査チップ１０１０及び試薬チップ１０１２は検体１１２２ごとに交換される。試薬チップ１０１２が準備される場合には、検体容器１１０２に検体１１２２が収容される。検体１１２２は、典型的には、血液等の人間からの採取物であるが、人間以外の生物からの採取物であってもよく、非生物からの採取物であってもよい。
【０１４２】
（ノズルの装着）
検査チップ１０１０及び試薬チップ１０１２が本体１０１４に取り付けられた後に、ノズル１０３０がノズル装着部１１５２に装着される（ステップＳ１０２）。
【０１４３】
ノズル１０３０がノズル装着部１１５２に装着される場合は、搬送機構１０３６がコントローラー１０２６による制御にしたがって保持機構１０３４を搬送する。この制御により、ノズル１０３０の装着口１３４２にノズル装着部１１５２が挿入される。
【０１４４】
図１４から図１６までの模式図は、第１実施形態におけるノズル装着を示す。図１４から図１６までは、断面図である。
【０１４５】
図１４に示すようにノズル１０３０がＯリング１１４２に接触する前には、緩衝機構１５５０は動作せず、ノズル装着部１１５２は定常位置から離れない。図１５に示すようにノズル１０３０がＯリング１１４２に接触するときには、緩衝機構１５５０が動作し、ノズル装着部１１５２は定常位置から離れるが最大退避時位置に達しない。図１６に示すようにノズル装着部１１５２がノズル１０３０に圧入されるときには、ノズル装着部１１５２は最大退避時位置に達する。
【０１４６】
ノズル装着部１１５２は、ノズル１０３０が装着された後に定常位置に復帰する。
【０１４７】
圧入量は、ノズル１０３０の延在方向についての保持機構１０３４の昇降量により調整される。圧入量が圧入トルクにより調整されてもよい。緩衝機構１５５０によりノズル装着部１１５２に加わる押圧荷重が和らげられので、ノズル１０３０の延在方向の搬送の制御は、ノズル１０３０の先端１３３０の位置等を監視しながら昇降量を決めるクローズドループ制御は不要であり、昇降量が一定に維持されるオープンループ制御で足りる。
【０１４８】
ノズル１０３０はつば１１３２の下端においてホルダー１１１０に支持されるので、ノズル１０３０がノズル装着部１１５２に装着される場合にはノズル１０３０の先端１３３０に押圧荷重が加わらない。このため、押圧荷重が大きくても大きな問題は生じない。
【０１４９】
（検査チップの洗浄）
ノズル１０３０がノズル装着部１１５２に装着された後に検査チップ１０１０が洗浄される（ステップＳ１０３）。
【０１５０】
検査チップ１０１０が洗浄される場合は、搬送機構１０３６がコントローラー１０２６による制御にしたがって保持機構１０３４を搬送し、ポンプ１０３２がコントローラー１０２６による制御にしたがって液体を供給／回収する。この制御により、ノズル１０３０の先端１３３０が洗浄液１１２０に浸漬され（位置Ｐ１）、洗浄液１１２０が吸入され、ノズル１０３０がノズル挿入孔１３２０に挿入され（位置Ｐ２）、洗浄液１１２０が吐出される。洗浄に必要な時間が経過した後に、洗浄液１１２０が吸入され、ノズル１０３０がノズル挿入孔１３２０から抜去される。これにより、流路１３００へ洗浄液１１２０が供給された後に流路１３００から洗浄液１１２０が回収される。洗浄液１１２０が供給されてから回収されるまでの間は流路１３００に洗浄液１１２０が満たされ、流路１３００及び抗原捕捉膜１０６０の汚染物、抗原捕捉膜１０６０に塗布されている保存用の試薬等が除去される。
【０１５１】
洗浄液１１２０が流路１３００から回収された後に流路１３００に残存する洗浄液１１２０の量は十分に少ない。このため、検査チップ１０１０が洗浄された後に流路１３００に供給される液体は洗浄液１１２０にほとんど希釈されない。
【０１５２】
図１７から図１９までの模式図は、第１実施形態におけるノズル挿入を示す。図１７から図１９までは、断面図である。
【０１５３】
図１７に示すように、ノズル１０３０が第１の密閉シール１０７６を突き破る場合には、緩衝機構１５５０が動作し、ノズル装着部１１５２は最大退避時位置に達する。ノズル１０３０が第１の密閉シール１０７６を突き破る場合に緩衝機構１５５０が動作しないようにしてもよい。図１８に示すように、ノズル１０３０が突き破られた第１の密閉シール１０７６に接触する場合には、緩衝機構１５５０は動作しない。図１９に示すように、ノズル１０３０の先端１３３０が侵入阻止壁１０９０の上側の壁面１４１２に当接する場合には、緩衝機構１５５０が動作し、ノズル装着部１１５２は定常位置から離れるが最大退避時位置に達しない。
【０１５４】
ノズル１０３０の長さがばらつきの下限であると仮定した場合にノズル１０３０の先端１３３０が上側の壁面１４１２に当接する位置までノズル１０３０はノズル挿入孔１３２０に挿入される。これにより、ノズル１０３０の長さが長い場合はノズル装着部１１５２の退避量Ｂが大きくなり、ノズル１０３０の長さが短い場合はノズル装着部１１５２の退避量Ｂが小さくなるが、退避量Ｂは最大退避可能量Ｂｍａｘ以下であり、ノズル１０３０の先端１３３０は損傷しない。
【０１５５】
ノズル装着部１１５２は、ノズル挿入孔１３２０から抜去された後に定常位置に復帰する。
【０１５６】
少なくとも液体が吸入される場合には、ノズル１０３０の先端１３３０は上側の壁面１４１２に当接する。これにより、ノズル１０３０の先端１３３０が一定の位置に配置され、液体が流路１３００から安定して回収される。ただし、液体が吐出される場合は、ノズル１０３０の先端１３３０は上側の壁面１４１２に当接してもよいし当接しなくてもよい。
【０１５７】
流路１３００及び抗原捕捉膜１０６０が清浄であり、かつ、保存用の試薬等の生化学反応を阻害する物質が抗原捕捉膜１０６０に塗布されない場合は、検査チップ１０１０の洗浄が省略されてもよい。検査チップ１０１０の洗浄が２回以上行われてもよい。
【０１５８】
ノズル１０３０が第１の密閉シール１０７６を突き破った後も、ノズル１０３０及び密閉シール１０７６は接触し、流路１３００の密閉性は維持される。
【０１５９】
緩衝機構１５５０によりノズル装着部１１５２（ノズル１０３０の先端１３３０）に加わる押圧荷重が和らげられるので、ノズル１０３０の延在方向の搬送の制御は、ノズル１０３０の先端１３３０の位置等を監視しながら昇降量を決めるクローズドループ制御は不要であり、昇降量が一定に維持されるオープンループ制御で足りる。
【０１６０】
（試料液の調製）
検査チップ１０１０が洗浄された後に試料液１１２６が調製される（ステップＳ１０４）。
【０１６１】
試料液１１２６が調製される場合は、搬送機構１０３６がコントローラー１０２６による制御にしたがって保持機構１０３４を搬送し、ポンプ１０３２がコントローラー１０２６による制御にしたがって液体を供給／回収する。この制御により、ノズル１０３０の先端１３３０が検体１１２２に浸漬され（位置Ｐ３）、検体１１２２が吸入され、ノズル１０３０の先端１３３０が試料液容器１１０６の内部に配置され（位置Ｐ４）、検体１１２２が吐出される。これにより、検体容器１１０２から試料液容器１１０６へ検体１１２２が送液される。また、ノズル１０３０の先端１３３０が希釈液１１２４に浸漬され（位置Ｐ５）、希釈液１１２４が吸入され、ノズル１０３０の先端１３３０が試料液容器１１０６の内部に配置され（位置Ｐ６）、希釈液１１２４が吐出される。これにより、希釈液容器１１８４から試料液容器１１０６へ希釈液１１２４が送液される。検体１１２２及び希釈液１１２４は、試料液容器１１０６において混合され、試料液１１２６になる。
【０１６２】
試料液１１２６が操作者の手作業により調製されてもよく生化学検査装置１０００の外部において調製されてもよい。検体１１２２がそのまま試料液１１２６とされてもよい。希釈に代えて又は希釈に加えて、希釈以外の前処理が行われてもよい。例えば、血球分離、試薬の混合等が行われてもよい。
【０１６３】
（１次免疫反応）
試料液１１２６が調製された後に１次免疫反応（抗原抗体反応）が進行させられる（ステップＳ１０５）。
【０１６４】
１次免疫反応が進行させられる場合は、搬送機構１０３６がコントローラー１０２６による制御にしたがって保持機構１０３４を搬送し、ポンプ１０３２がコントローラー１０２６による制御にしたがって液体を供給／回収する。この制御により、ノズル１０３０の先端１３３０が試料液１１２６に浸漬され（位置Ｐ８）、試料液１１２６が吸入され、ノズル１０３０がノズル挿入孔１３２０に挿入され（位置Ｐ９）、試料液１１２６が吐出される。１次免疫反応に必要な時間が経過した後に、試料液１１２６が吸入され、ノズル１０３０がノズル挿入孔１３２０から抜去される。これにより、流路１３００へ試料液１１２６が供給された後に流路１３００から試料液１１２６が回収される。試料液１１２６が供給されてから回収されるまでの間は流路１３００に試料液１１２６が満たされ、試料液１１２６が抗原捕捉膜１０６０に接触し、試料液１１２６に含まれる抗原１３１０及び抗原捕捉膜１０６０に固定された抗体１３１２が結合する。これにより、抗原１３１０が抗原捕捉膜１０６０に捕捉され、１次免疫反応が完了する。
【０１６５】
試料液１１２６が送液される場合におけるノズル１０３０の先端１３３０の侵入阻止壁１０９０の上側の壁面１４１２への当接、緩衝機構１５５０の動作等は、洗浄液１１２０が送液される場合と同じである。これにより、ノズル１０３０の先端１３３０が一定の位置に配置され、試料液１１２６が流路１３００から安定して回収される。
【０１６６】
（電場増強度が極大になる入射角θｒの検出）
１次免疫反応が完了した後に電場増強度が極大になる入射角（共鳴角）θｒが検出される（ステップＳ１０６）。
【０１６７】
電場増強度が極大になる入射角θｒが検出される場合は、流路１３００がバッファー液に満たされた状態において、照射機構１０２２がプリズム１０８０に励起光１３５０を照射し、光電子増倍管１０５０が散乱光１３５４の光量を測定する。ローパスフィルター駆動機構１０５４は、コントローラー１０２６による制御にしたがって表面プラズモン励起蛍光１３５２の光路にローパスフィルター１０５２を配置する。ミラー駆動機構１０４６は、コントローラー１０２６による制御にしたがって入射角θを走査する。コントローラー１０２６は、散乱光１３５４の光量の測定結果を取得し、散乱光１３５４の光量が極大になる入射角θを検出する。散乱光１３５４の光量が極大になる入射角θは、電場増強度が極大になる入射角θｒとみなされる。フォトダイオード１０５６が反射光１３５６の光量を測定し、コントローラー１０２６が反射光１３５６の光量が極小になる入射角θを検出してもよい。検出された入射角θに微小角を加算又は減算する補正が行われてもよい。
【０１６８】
（２次免疫反応の進行）
電場増強度が極大になる入射角θｒが検出された後に２次免疫反応（抗原抗体反応）が進行させられる（ステップＳ１０７）。
【０１６９】
２次免疫反応が進行させられる場合は、搬送機構１０３６がコントローラー１０２６による制御にしたがって保持機構１０３４を搬送し、ポンプ１０３２がコントローラー１０２６による制御にしたがって液体を供給／回収する。この制御により、ノズル１０３０の先端１３３０が蛍光標識液１１２８に浸漬され（位置Ｐ１０）、蛍光標識液１１２８が吸入され、ノズル１０３０がノズル挿入孔１３２０に挿入され（位置Ｐ１１）、蛍光標識液１１２８が吐出される。２次免疫反応に必要な時間が経過した後に、蛍光標識液１１２８が吸入され、ノズル１０３０がノズル挿入孔１３２０から抜去される。これにより、流路１３００へ蛍光標識液１１２８が供給された後に流路１３００から蛍光標識液１１２８が回収される。蛍光標識液１１２８が供給されてから回収されるまでの間は流路１３００に蛍光標識液１１２８が満たされ、蛍光標識液１１２８が抗原捕捉膜１０６０に接触し、蛍光標識液１１２８に含まれる蛍光標識抗体１３１４及び抗原捕捉膜１０６０に捕捉された抗原１３１０が結合する。これにより、蛍光標識が抗原１３１０に付加され、２次免疫反応が完了する。
【０１７０】
蛍光標識液１１２８が送液される場合におけるノズル１０３０の先端１３３０の侵入阻止壁１０９０の上側の壁面１４１２への当接、緩衝機構１５５０の動作等は、洗浄液１１２０が送液される場合と同じである。これにより、先端が一定の位置に配置され、蛍光標識液１１２８が流路１３００から安定して回収される。
【０１７１】
（表面プラズモン励起蛍光の光量の測定）
２次免疫反応が完了した後に表面プラズモン励起蛍光１３５２の光量が測定される（ステップＳ１０８）。
【０１７２】
表面プラズモン励起蛍光１３５２の光量が測定される場合は、流路１３００がバッファー液に満たされた状態において、照射機構１０２２がプリズム１０８０に励起光１３５０を照射し、光電子増倍管１０５０が表面プラズモン励起蛍光１３５２の光量を測定する。ローパスフィルター駆動機構１０５４は、コントローラー１０２６による制御にしたがって表面プラズモン励起蛍光１３５２の光路へローパスフィルター１０５２を配置する。ミラー駆動機構１０４６は、コントローラー１０２６による制御にしたがって入射角θを電場増強度が極大になる入射角θｒに設定する。コントローラー１０２６は、表面プラズモン励起蛍光１３５２の光量の測定結果を取得する。
【０１７３】
（生化学検査の方法）
生化学検査装置１０００が表面プラズモン共鳴法（ＳＰＲ）により生化学検査を行ってもよい。生化学検査装置１０００がＳＰＲにより生化学検査を行う場合は、蛍光標識液１１２８の送液が省略され、抗原１３１０が捕捉される前後における電場増強度が極大になる入射角θｒの変化が計測される。
【０１７４】
生化学検査装置１０００がエライザ（ＥＬＩＳＡ）、イムノクロマトグラフィー等により生化学検査を行ってもよい。
【０１７５】
生化学検査の方法によっては、抗原捕捉膜１０６０が、膜形状を持たないが生化学反応が進行する反応場を提供する反応場提供物で足りる場合もある。プリズム１０８０及び金膜１０８２を備える複合体１０７０が不要になり、複合体１０７０に代えて定着面１５８２を有する定着面形成物が設けられる場合もある。
【０１７６】
生化学検査の方法によっては、流路１３００に満たされる液体の種類、数等も変化する。
【０１７７】
｛第２実施形態｝
第２実施形態は、第１実施形態の検査チップを置き換える検査チップに関する。第１実施形態においては侵入阻止壁の上側の壁面が当接面になったが、第２実施形態においては流路形成シートの上側の主面が当接面になる。これ以外については、他の実施形態の構成がそのまま又は変形されてから第２実施形態に援用される。
【０１７８】
図２０の模式図は、第２実施形態の検査チップを示す。図２０は横断面図である。
【０１７９】
図２０に示すように、検査チップ２０１０は、抗原捕捉膜２０６０及び構造体２０６２を備える。構造体２０６２は、複合体２０７０、流路形成シート２０７２、ノズル挿入孔形成蓋２０７４、第１の密閉シール２０７６及び第２の密閉シール２０７８を備える。複合体２０７０は、プリズム２０８０及び金膜２０８２を備える。第２実施形態の複合体２０７０、第１の密閉シール２０７６及び第２の密閉シール２０７８は、それぞれ、第１実施形態の複合体１０７０、第１の密閉シール１０７６及び第２の密閉シール１０７８に相当する。第２実施形態の流路形成シート２０７２及びノズル挿入孔形成蓋２０７４は、それぞれ、流路形成シート２０７２に形成された流路２３００及びノズル挿入孔形成蓋２０７４に形成されたノズル挿入孔２３２０の接続箇所の構造が異なる点を除いては、第１実施形態の流路形成シート１０７２及びノズル挿入孔形成蓋１０７４に相当する。
【０１８０】
図２１及び図２２の模式図は、ノズル挿入孔及び流路の接続箇所を示す。図２１は、斜視図（破断図）である。図２２は、横断面図である。図２１は、ノズルがノズル挿入孔に挿入されていない状態を示す。図２２は、ノズルがノズル挿入孔に挿入された状態を示す。
【０１８１】
図２１及び図２２に示すように、ノズル挿入孔２３２０の接続端２４３０の中心は流路２３００に接続され、ノズル挿入孔２３２０の接続端２４３０の周辺は流路形成シート２０７２に閉塞される。
【０１８２】
流路２３００から液体が回収される場合は、ノズル１０３０の先端１３３０が流路形成シート２０７２の上側の主面２５６２に当接する位置まで搬送機構１０３６がノズル１０３０をノズル挿入孔２３２０に挿入する。ノズル１０３０の先端１３３０が流路形成シート２０７２の上側の主面２５６２に当接する場合でも、供給／回収口１３４０は、流路形成シート２０７２の上側の主面２５６２に完全には閉塞されず、流路２３００に接続される。ノズル１０３０の先端１３３０が流路形成シート２０７２の上側の主面２５６２に当接した状態において、ポンプ１０３２が供給／回収口１３４０を経由して流路２３００へ液体を供給し流路２３００から液体を回収する。これにより、ノズル１０３０の長さがノズル１０３０の個体ごとに異なる場合でも一定の位置にノズル１０３０の先端１３３０が配置される。ノズル１０３０の先端１３３０がノズル１０３０の個体ごとに検出されない場合でも、流路２３００から液体が安定して回収され、生化学検査の精度が向上する。ノズル１０３０の先端１３３０が流路２３００に接近し、液体が流路２３００から回収された後に流路２３００に残存する液体の量が減少する。
【０１８３】
ノズル挿入孔２３２０の接続端２４３０は、接続領域２６００及び被閉塞領域２６０２を有する。接続領域２６００は、ノズル挿入孔２３２０の接続端２４３０の中心を占める。被閉塞領域２６０２は、ノズル挿入孔２３２０の接続端２４３０の周辺を占める。
【０１８４】
流路形成シート２０７２の上側の主面２５６２は、閉塞面２６２０を有する。閉塞面２６２０は、流路２３００の一方の接続端２６９０の外縁を占める。閉塞面２６２０は、ノズル１０３０の先端１３３０が当接する当接面になる。
【０１８５】
ノズル挿入孔２３２０の接続領域２６００は、流路２３００の一方の接続端２６９０に接続される。ノズル挿入孔２３２０の被閉塞領域２６２０は、流路形成シート２０７２の上側の主面２５６２の閉塞面２６２０に閉塞される。
【０１８６】
図２３の模式図は、第２実施形態のノズルの先端、ノズル挿入孔の接続領域等の平面形状の関係を示す。図２３は、平面図である。
【０１８７】
図２３に示すように、ノズル挿入孔２３２０の接続領域２６００の径Ｒ２１は、ノズル１０３０の先端１３３０の径Ｒ２２より小さい（Ｒ２１＜Ｒ２２）。この場合は、ノズル１０３０の先端１３３０の侵入が流路形成シート２０７２の上側の主面２５６２により阻止される。ノズル１０３０の先端１３３０及びノズル挿入孔２３２０の接続領域２６００の平面形状が円形でない場合を考慮した場合は、ノズル挿入孔２３２０の接続端２４３０の接続領域２６００の平面形状がノズル１０３０の先端１３３０の平面形状を内包しないときにノズル１０３０の先端１３３０の侵入が流路形成シート２０７２の上側の主面２５６２により阻止される。
【０１８８】
｛第３実施形態｝
第３実施形態は、第１実施形態の検査チップを置き換える検査チップに関する。第１実施形態においては、侵入阻止壁の上側の壁面が当接面になったが、第３実施形態においては、複合体の突出領域が当接面になる。これ以外については、他の実施形態の構成がそのまま又は変形されてから第３実施形態に援用される。
【０１８９】
図２４の模式図は、第３実施形態の検査チップを示す。図２４は横断面図である。
【０１９０】
図２４に示すように、検査チップ３０１０は、抗原捕捉膜３０６０及び構造体３０６２を備える。構造体３０６２は、複合体３０７０、流路形成シート３０７２、ノズル挿入孔形成蓋３０７４、第１の密閉シール３０７６及び第２の密閉シール３０７８を備える。複合体３０７０は、プリズム３０８０及び金膜３０８２を備える。第３実施形態の流路形成シート３０７２、第１の密閉シール３０７６及び第２の密閉シール３０７８は、それぞれ、第１実施形態の流路形成シート１０７２、第１の密閉シール１０７６及び第２の密閉シール１０７８に相当する。第３実施形態のノズル挿入孔形成蓋３０７４、プリズム３０８０及び金膜３０８２は、それぞれ、流路形成シート３０７２に形成された流路３３００及びノズル挿入孔形成蓋３０７４に形成されたノズル挿入孔３３２０の接続箇所の構造が異なる点を除いては、第１実施形態のノズル挿入孔形成蓋１０７４、プリズム１０８０及び金膜１０８２に相当する。
【０１９１】
図２５及び図２６の模式図は、ノズル挿入孔及び流路の境界を示す。図２５は、斜視図（破断図）である。図２６は、横断面図である。図２５は、ノズルがノズル挿入孔に挿入されていない状態を示す。図２６は、ノズルがノズル挿入孔に挿入された状態を示す。
【０１９２】
図２５及び図２６に示すように、ノズル挿入孔３３２０の接続端３４３０の中心は複合体３０７０の非突出面３７００と対向し、ノズル挿入孔３３２０の接続端３４３０の周辺は複合体３０７０の突出面３７０２と対向する。複合体３０７０の突出面３７０２は、ノズル１０３０の先端１３３０が当接する当接面になる。
【０１９３】
流路３３００から液体が回収される場合は、ノズル１０３０の先端１３３０が複合体３０７０の突出面３７０２に当接する位置まで搬送機構１０３６がノズル１０３０をノズル挿入孔３３２０に挿入する。ノズル１０３０の先端１３３０が複合体３０７０の突出面３７０２に当接する場合でも、供給／回収口１３４０は、複合体３０７０の突出面３７０２に完全には閉塞されず、流路３３００に接続される。ノズル１０３０の先端１３３０が複合体３０７０の突出面３７０２に当接した状態において、ポンプ１０３２が供給／回収口１３４０を経由して流路３３００へ液体を供給し流路３３００から液体を回収する。これにより、ノズル１０３０の長さがノズル１０３０の個体ごとに異なる場合でも一定の位置にノズル１０３０の先端１３３０が配置される。ノズル１０３０の先端１３３０がノズル１０３０の個体ごとに検出されない場合でも、流路３３００から液体が安定して回収され、生化学検査の精度が向上する。ノズル１０３０の先端１３３０が流路３３００に接近し、液体が流路３３００から回収された後に流路３３００に残存する液体の量が減少する。
【０１９４】
ノズル挿入孔３３２０の接続端３４３０は、複合体３０７０の対向面３７１０と流路３３００を挟んで対向する。非突出面３７００は、対向面３７１０の中心を占める。突出面３７０２は、対向面３７１０の周辺を占める。
【０１９５】
対向面３７１０に金膜３０８２がなくプリズム３０８０が露出していてもよい。
【０１９６】
非突出面３７００から突出面３７０２までの突出長は、望ましくは流路形成シート３０７２の厚さより短い。これにより、ノズル１０３０の先端１３３０が流路３３００の内部に配置され、液体が流路３３００から回収された後に流路３３００に残存する液体の量が減少する。
【０１９７】
突出面３７０２は、プリズム３０８０を部分的に突出させることにより形成される。突出面３７０２は、金膜３０８２の膜厚を部分的に厚くすることにより形成されてもよいし、プリズム３０８０及び金膜３０８２とは別の膜を付加することにより形成されてもよい。
【０１９８】
図２７は、第３実施形態のノズルの先端、複合体の非突出面等の平面形状の関係を示す。図２７は、平面図である。
【０１９９】
図２７に示すように、複合体３０７０の非突出面３７００の径Ｒ３１は、ノズル１０３０の先端１３３０の径Ｒ３２より小さい（Ｒ３１＜Ｒ３２）。この場合は、ノズル１０３０の先端１３３０の侵入が複合体３０７０の突出面３７０２により阻止される。ノズル１０３０の先端１３３０及び複合体３０７０の非突出面３７００の平面形状が円形でない場合を考慮した場合は、複合体３０７０の非突出面３７００の平面形状がノズル１０３０の先端１３３０の平面形状を内包しないときにノズル１０３０の先端１３３０の侵入が突出面３７０２により阻止される。
【０２００】
｛第４実施形態｝
第４実施形態は、第１実施形態のポンプ及び保持機構を置き換えるポンプ及び保持機構に関する。第１実施形態においては１個のポンプに１個のノズルが装着されたが、第４実施形態においては３個のポンプの各々に１個のノズルが装着され３個のポンプに合計３個のノズルが装着される。第１実施形態においては案内棒によりポンプの全体が案内されたが、第４実施形態においては案内孔によりシリンダーのみが案内される。
【０２０１】
図２８に示すように、ポンプ４０３２は、３個のシリンダー４１４０、３個のＯリング４１４２、３個のピストン４１４４及びモーター４１４６を備える。Ｏリング４１４２及びピストン４１４４は、３個のシリンダー４１４０の各々に対して１個ずつ設けられる。シリンダー４１４０、Ｏリング４１４２及びピストン４１４４の数が増減されてもよい。シリンダー４１４０の各々は、シリンダー室形成部４１５０及びノズル装着部４１５２を備える。
【０２０２】
保持機構４０３４は、基体４１６０及び３個のコイルバネ４１６４を備える。コイルバネ４１６４は、３個のシリンダー４１４０の各々に対して１個ずつ設けられる。シリンダー４１４０が増減される場合は、シリンダー４１４０にあわせてコイルバネ４１６４も増減される。
【０２０３】
３個のノズル装着部４１５２の各々には、ノズル１０３０が１個ずつ装着される。ノズル装着部４１５２にノズル１０３０が装着される場合は、ノズル１０３０の装着口１３４２にノズル装着部４１５２が圧入され、ノズル装着部４１５２及びノズル１０３０の間にＯリング４１４２が挟まれ、ノズル装着部４１５２及びノズル１０３０の間隙がＯリング４１４２で閉塞される。
【０２０４】
シリンダー室形成部４１５０には、シリンダー室４４７０が形成される。シリンダー室４４７０には、ピストン４１４４が収容される。ピストン４１４４は、モーター４１４６に接続される。
【０２０５】
ポンプ４０３２が液体を供給する場合は、モーター４１４６がシリンダー室４４７０の内部において供給／回収口１３４０へ近づく方向へピストン４１４４を移動させる。これにより、液体収容空間１４６０が陽圧になり、供給／回収口１３４０を経由して液体収容空間１４６０から液体が吐出される。
【０２０６】
ポンプ４０３２が液体を回収する場合は、モーター４１４６がシリンダー室４４７０の内部において供給／回収口１３４０から遠ざかる方向へピストン４１４４を移動させる。これにより、液体収容空間１４６０が陰圧になり、供給／回収口１３４０を経由して液体収容空間１４６０へ液体が吸入される。
【０２０７】
ポンプ４０３２は、保持機構４０３４に保持される。モーター４１４６は、基体４１６０に固定される。
【０２０８】
基体４１６０には、３個の案内孔４８００が形成される。３個の案内孔４８００の各々には、シリンダー４１４０が１個ずつ挿入される。案内孔４８００の断面形状は、シリンダー４１４０の断面形状に適合する。シリンダー４１４０は、案内孔４８００に対して摺動する。これにより、ノズル１０３０の延在方向と同じ方向にシリンダー４１４０が案内され、ノズル１０３０の延在方向と同じ方向にノズル装着部４１５２が案内される。この場合は、ノズル装着部４１５２は、保持機構４０３４に対して相対移動する。案内孔４８００は、ノズル１０３０の延在方向と同じ方向にノズル装着部４１５２が案内する案内機構になる。
【０２０９】
基体４１６０は、規制面４８１０を有する。シリンダー４１４０は、定常位置に配置された場合に規制面４８１０に当接する。規制面４８１０は、ノズル装着部４１５０が定常位置よりもノズル１０３０の先端１３３０の側へ移動することを規制する規制機構になる。
【０２１０】
コイルバネ４１６４の一端４５４０は、基体４１６０に結合される。コイルバネ４１６４の他端４５４２はシリンダー４１４０に結合される。
【０２１１】
コイルバネ４１６４の伸縮方向及びノズル１０３０の延在方向は一致する。コイルバネ４１６４は圧縮されており、コイルバネ４１６４が自然長に戻ろうとする復元力はシリンダー４１４０が定常位置から離れるほど大きくなる。コイルバネ４１６４は、ノズル１０３０の先端１３３０の側にシリンダー４１４０を押圧し、ノズル１０３０の先端１３３０の側へ付勢された状態でノズル装着部４１５０を定常位置に位置づける。
【０２１２】
案内孔４８００、コイルバネ４１６４及び規制面４８１０によりノズル１０３０の先端１３３０に加わる押圧荷重を和らげる緩衝機構が構成される。基準以上の押圧荷重がノズル１０３０の先端１３３０に加わった場合は、緩衝機構が動作し、ノズル装着部４１５０がノズル１０３０の後端１３３２の側に退避する。これにより、ノズル１０３０が損傷しにくくなる。
【０２１３】
第４実施形態のポンプ４０３２及び保持機構４０２４は、主に３個の検査チップ１０１０への送液が行われる場合に用いられる。
【０２１４】
本発明は詳細に示され記述されたが、上記の記述は全ての局面において例示であって限定的ではない。しがって、本発明の範囲からはずれることなく無数の修正及び変形が案出されうると解される。
【符号の説明】
【０２１５】
１０００  生化学検査装置
１０１０，２０１０，３０１  検査チップ
１０２０  送液機構
１０３０  ノズル
１０３２、４０３２  ポンプ
１０３４，４０３４  保持機構
１０３６  搬送機構
１０６０，２０６０，３０６０  抗原捕捉膜
１０６２，２０６２，３０６２  構造体
１０７０，２０７０，３０７０  複合体
１０７２，２０７２，３０７２  流路形成シート
１０７４，２０７４，３０７４  ノズル挿入孔形成蓋
１０８０，２０８０，３０８０  プリズム
１０８２，２０８２，３０８２  金膜
１０９０  侵入阻止壁
１１５２，４１５２  ノズル装着部
１１６２  案内機構
１１６４，４１６４  コイルバネ
１３００，２３００，３３００  流路
１３２０，２３２０，３３２０  ノズル挿入孔
１４００  液体通路
１５１０  第１の規制面
１５１２  第２の規制面  
１４３０，２４３０，３４３０  接続端
２６００  接続領域
２６０２  被閉塞領域
２６２０  閉塞面
３７００  非突出面
３７０２  突出面
４８００  案内孔
４８１０  規制面
【図１】
0005870716.tif 000002
【図２】
0005870716.tif 000003
【図３】
0005870716.tif 000004
【図４】
0005870716.tif 000005
【図５】
0005870716.tif 000006
【図６】
0005870716.tif 000007
【図７】
0005870716.tif 000008
【図８】
0005870716.tif 000009
【図９】
0005870716.tif 000010
【図１０】
0005870716.tif 000011
【図１１】
0005870716.tif 000012
【図１２】
0005870716.tif 000013
【図１３】
0005870716.tif 000014
【図１４】
0005870716.tif 000015
【図１５】
0005870716.tif 000016
【図１６】
0005870716.tif 000017
【図１７】
0005870716.tif 000018
【図１８】
0005870716.tif 000019
【図１９】
0005870716.tif 000020
【図２０】
0005870716.tif 000021
【図２１】
0005870716.tif 000022
【図２２】
0005870716.tif 000023
【図２３】
0005870716.tif 000024
【図２４】
0005870716.tif 000025
【図２５】
0005870716.tif 000026
【図２６】
0005870716.tif 000027
【図２７】
0005870716.tif 000028
【図２８】
0005870716.tif 000029